(57)【要約】【課題】  空気と空気に含まれる塵埃とを旋回させて分離する容器形状の塵埃分離部４と分離した塵埃を収容する塵埃収容部５が配置されている。この塵埃分離部４で塵埃が旋回することで静電気が発生し、塵埃と塵埃分離部４とに静電気が帯電し、帯電した塵埃が塵埃収容部５に収容されることで塵埃収容部５に静電気が帯電される。本発明は、集塵部に帯電した静電気を簡便に除電できる電気掃除機を提供する。【解決手段】  本体吸気口と電動送風機を備えた掃除機本体と、前記本体吸気口と前記電動送風機の間に着脱自在な集塵装置と、を備えた電気掃除機において、前記集塵装置は、塵埃分離部と塵埃収容部で構成されており、前記塵埃分離部で空気と塵埃を分離する時に発生する静電気を除電する導電性の繊維を前記塵埃分離部に備える。【選択図】  図１０
2014008181.tif 000002
【特許請求の範囲】
【請求項１】
本体吸気口と電動送風機を備えた掃除機本体と、
前記本体吸気口と前記電動送風機の間に着脱自在な集塵装置と、
を備えた電気掃除機において、
前記集塵装置は、塵埃分離部と塵埃収容部で構成されており、
前記塵埃分離部で空気と塵埃を分離する時に発生する静電気を除電する導電性の繊維を前記塵埃分離部に備えることを特徴とする電気掃除機。
【請求項２】
本体吸気口と電動送風機を備えた掃除機本体と、
前記本体吸気口と前記電動送風機の間に着脱自在な集塵装置と、
を備えた電気掃除機において、
前記集塵装置は、塵埃分離部と塵埃収容部で構成されており、
前記塵埃分離部で空気と塵埃を分離する時に発生する静電気を除電する導電性の繊維を前記塵埃収容部に備えることを特徴とする電気掃除機。
【請求項３】
請求項１または２に記載の電気掃除機において、
前記導電性の繊維はフェルト状であり、該フェルトは裏面の導電性粘着剤で貼り付けられていることを特徴とする電機掃除機。
【請求項４】
請求項３に記載の電気掃除機において、
前記フェルトの表面繊維が大気に連通していることを特徴とする電気掃除機。
【請求項５】
請求項３または４に記載の電気掃除機において、
前記フェルトの貼付位置は、使用者が触れることのできない位置であることを特徴とする電気掃除機。
【発明の詳細な説明】
【技術分野】
【０００１】
本発明は電気掃除機に係り、特にサイクロン式の電気掃除機に関するものである。
【背景技術】
【０００２】
サイクロン式電気掃除機は、塵埃分離部で空気が旋回し、空気と空気に含まれる塵埃とを分離し、塵埃収容容器に塵埃を収容する。このとき、空気と塵埃の分離の際に、塵埃が塵埃分離部を旋回し、摩擦により、静電気が発生する。静電気が発生すると、静電気を帯びた塵埃が塵埃分離部内面に吸着し、ごみ捨てが困難になりお手入れ性が悪化する。
【０００３】
そこで、特許文献１のサイクロン式電気掃除機では、塵埃分離部の静電気の除電を目的とし、塵埃分離部を、表面固有抵抗値が低く、静電気が帯電しにくいポリマーアロイ型樹脂で形成している。
【先行技術文献】
【特許文献】
【０００４】
【特許文献１】特開２００４−２０８９４３号公報
【発明の概要】
【発明が解決しようとする課題】
【０００５】
特許文献１では、静電気が帯電しにくい表面固有抵抗値の低いポリマーアロイ型樹脂で集塵容器を形成し、帯電の低減を図っているが、形成した塵埃分離部は透明度が低いため、集塵容器内の視認性が悪化するとともに、意匠性が悪化する。また、特許文献１では、表面固有抵抗値の低いポリマーアロイ型樹脂は、静電気が帯電しやすい表面固有抵抗値の高い樹脂（汎用樹脂）に比べ材料が高価であり、材料費が増加してしまう。
【０００６】
一方、特許文献１の表面固有抵抗値の低いポリマーアロイ型樹脂に代え、表面固有抵抗値が高く、透明度の高い材料で塵埃分離部を形成することも考えられるが、塵埃の吸着の悪化によりごみ捨てが困難となる恐れがある。
【０００７】
本発明の目的は、塵埃分離部と塵埃収容部の高い透明度を保ちつつ、塵埃分離部と塵埃収容部への塵埃の貼り付きを防止する電気掃除機を提供することにある。
【課題を解決するための手段】
【０００８】
上記課題は、本体吸気口と電動送風機を備えた掃除機本体と、前記本体吸気口と前記電動送風機の間に着脱自在な集塵装置と、を備えた電気掃除機において、前記集塵装置は、塵埃分離部と塵埃収容部で構成されており、前記塵埃分離部で空気と塵埃を分離する時に発生する静電気を除電する導電性の繊維を前記塵埃分離部に備える電気掃除機によって改善される。
【０００９】
また、本体吸気口と電動送風機を備えた掃除機本体と、前記本体吸気口と前記電動送風機の間に着脱自在な集塵装置と、を備えた電気掃除機において、前記集塵装置は、塵埃分離部と塵埃収容部で構成されており、前記塵埃分離部で空気と塵埃を分離する時に発生する静電気を除電する導電性の繊維を前記塵埃収容部に備える電気掃除機によって改善される。
【発明の効果】
【００１０】
本発明よれば、塵埃分離部と塵埃収容部を透明度が高い材料で形成し、塵埃分離部と塵埃収容部への塵埃の貼り付きを防止するサイクロン式電気掃除機を提供することができる。
【図面の簡単な説明】
【００１１】
【図１】一実施例の掃除機本体の側面から見た断面図。
【図２】一実施例の掃除機本体の分解斜視図
【図３】一実施例の上カバー５６の右上側から見た分解斜視図。
【図４】一実施例の上カバー５６の正面から見た拡大図。
【図５】（Ａ）は、内筒７および外筒６の斜視図、        （Ｂ）は、内筒７の裏側の斜視図。
【図６】塵埃収容部５を取り外した状態で見た掃除機本体１の斜視図。
【図７】内筒７を外延部裏側から見た上面図。
【図８】塵埃分離部４の右側面から見た断面図。
【図９】（Ａ）は、内筒７を１８０度開いた塵埃分離部４を右側から見た断面図、        （Ｂ）は、内筒７を９０度開いた塵埃分離部４を右側から見た断面図。
【図１０】塵埃分離部４を右上側から見た分解斜視図。
【図１１】塵埃分離部４を正面から見た拡大図。
【図１２】塵埃収容部５を側面から見た断面図。
【図１３】塵埃収容部５を右上側から見た斜視図。
【図１４】塵埃収容部５を図１１のＰ側から見た上面図。
【図１５】塵埃収容部蓋１３０を取り外した状態で裏側から見た図。
【発明を実施するための形態】
【００１２】
以下、図面を参照しながら、本発明の実施例を説明する。
【実施例】
【００１３】
≪電気掃除機の構成≫
図２に、一実施例の掃除機本体１の外観斜視図を示す。また、図１に、掃除機本体１を側面から見た断面図を示す。なお、掃除機本体１に取り付けられるホースや吸口体は周知のものを使用できるので、以下では説明を省略する。図１に示されるように、掃除機本体１の後側には、電動送風機２８が配置され、前側には、吸い込んだ空気から塵埃を捕集する集塵装置２が着脱自在に配置される。
【００１４】
図２に示すように、集塵装置２は、吸い込んだ空気を旋回させ、遠心分離作用（サイクロン方式）によって塵埃を分離する塵埃分離部４と、塵埃分離部４に連通し、塵埃分離部４で分離された塵埃を収容する塵埃収容部５を備える。
【００１５】
塵埃分離部４と塵埃収容部５は、集塵装置２の軸方向に配列され、それぞれの軸方向端部で接続され、連通する。つまり、塵埃分離部４と塵埃収容部５を使用者が容易に分離できるように、塵埃分離部４と塵埃収容部５とが連結されている。掃除機本体１の前端に、管状の本体吸気口２１を備える。塵埃分離部４の軸方向の前側端面の一部は、開口しており、その開口部が入口管３に接続される。塵埃分離部４の軸方向の前側端面ではなく、塵埃分離部４の軸方向の前側端部の円周面が、入口管３に接続されてもよい。入口管３は、掃除機本体１の幅方向の中央に形成されるのが好ましい。内筒７および凹み部８も、掃除機本体１の幅方向の中央に形成されるのが好ましい。塵埃分離部４は円周面に複数の貫通孔３３を有する内筒７を略円筒形状内に内包し、塵埃収容部５は、塵埃分離部４と連通する側に開口し塵埃分離部４と連通する側とは反対側に凹んだ形状を有する集塵かご１２を備え、塵埃分離部４の旋回流の外側の空気は、収容部内の集塵かご１２内に流入し、塵埃分離部４の旋回流の内側の空気は、塵埃収容部５内でかつ集塵かご１２の外側に流入する。
【００１６】
そして、塵埃分離部４と塵埃収容部５とを軸方向に配列して連通し、塵埃分離部４の旋回流の外側の空気を塵埃収容部５内の凹んだ形状を有する集塵かご１２内に流入し、塵埃分離部４の旋回流の内側の空気を塵埃収容部５内でかつ凹んだ形状を有する集塵かご１２の外側に流入することにより、使用者の手を煩わせることなく塵埃を圧縮し、堆積した塵埃を使用者が容易に排出でき、さらに、吸引力の低下を抑制することができる。
【００１７】
≪静電気について≫
次に、サイクロン掃除機の集塵装置２で発生する静電気について説明する。図１中の矢印は、空気の流れを示す。使用者が電気掃除機の電源をＯＮにすると、電動送風機２８が作動し、吸引力を発生する。ホース継手管２０から吸い込まれた空気は、入口管３を通って、塵埃分離部４の外筒６内に流入し、凹み部８にぶつかって半径方向に向きを変え、さらに、凹み部８の内筒７の外周端部でやや円周方向に向きを変え、さらに案内管３８で円周方向に向きを変える。この結果、空気は、外筒６の軸心を中心として外筒６を旋回する旋回流となる。
【００１８】
このとき、空気の旋回に伴う遠心分離作用によって、空気に含まれる重い塵埃（例えば砂ごみ）は旋回流の外側に集まり、外筒６の内表面と擦れ合い静電気を発生させて塵埃分離部４自体が帯電する。空気に含まれる軽い塵埃は旋回流の外側だけでなく、内側にも残る。ただし、一般家庭での掃除において、塵埃の大部分は旋回流の外側に集まり、旋回流の内側にはあまり塵埃が残らない。内筒７外の空気は重い塵埃と共に、外筒６の内表面と擦れ合い帯電した状態で外側流路３５を通って、塵埃収容部５の集塵かご１２へ流入する。帯電した状態の塵埃は集塵かご１２によって捕集され、さらに堆積することで塵埃収容部５自体が帯電することになり、集塵装置２全体が帯電してしまう。集塵装置２が帯電してしまうと、塵埃分離部と塵埃収容部への塵埃が貼り付く恐れがある。
【００１９】
≪除電フェルト１２９について≫
次に、本実施例の除電フェルト１２９について説明する。本実施例の掃除機本体１は、掃除機本体１の、特に塵埃分離部４と塵埃収容部５に帯電する静電気を除電するため、除電フェルト１２９を備える。この除電フェルト１２９としては、アクリル繊維・ナイロン繊維に硫化銅を化学結合させた有機導電性繊維（例えば、日本蚕毛染色株式会社製の「サンダーロン（登録商標）」）を用いることができる。この有機導電性繊維は、金属細線・炭素繊維に比べ、柔らかく、折れにくいという特性を有している。この有機導電性繊維の先端により、コロナ放電をさせながら静電気を除電することができる。また、有機導電性繊維の裏面に導電性の粘着剤を用い、除電フェルト１２９をシール状にし、塵埃分離部４や塵埃収容部５等に接着することもできる。また、有機導電性繊維の裏面に導電性の粘着剤を用いることで、帯電した樹脂表面と貼り合わせて積極的に有機導電性繊維へ静電気を導いて、大気中にコロナ放電することで静電気を除去できる。または、除電フェルト１２９の裏面に導電性の粘着剤を用いず、材料間に除電フェルト１２９を挟み込みコロナ放電させる構造も考えられるが、掃除機動作時に挟み込んだ除電フェルト１２９の取付け位置が初期位置から、動く可能性があり、静電気の除電効果が低減する恐れがあることから、除電フェルト１２９には、導電性の粘着剤を用い、シール状にしたものが好ましい。
【００２０】
≪上カバー５６の構成≫
図２に示すように、掃除機本体１の上面の中央付近には、一端が掃除機本体１に回動可能な軸（図示せず）によって支持された集塵装置２保持用の上カバー５６を備える。上カバー５６は、閉じた状態で集塵装置２の把手１６を覆う大きさおよび位置に形成されるのが好ましい。さらに、上カバー５６は、掃除機本体１の作動中は開かないように、その回動をロックするボタン１３２が備えられている。
【００２１】
図３に示すように、ボタン１３２は、上カバー５６の軸方向他端部側の内表面に面し前部裏面を押す弾性部材（例えば、バネ）からなり、ボタン１３２は前後方向に回動可能である。この、ボタン１３２は、上カバー５６を閉じた時に、塵埃収容部５を固定する構造となっている。また、ボタン１３２の上側にはボタンカバー１３３が備えられ、ボタンカバー１３３はボタン１３２上面部を隠す構造となり、覆いかぶさっていることで、ボタン１３２の外れ防止にもなっている。
【００２２】
ここで、上カバー５６は、集塵装置２を着脱する際に開閉する必要があるが、集塵装置２に静電気が帯電する恐れがある。そこで、図３に示すように、ボタン１３２の上面部に除電フェルト１２９を貼り付けることで、静電気を除電することができる。また、ボタン１３２に帯電した静電気の除電効果を更に高めるため、ボタン１３２の表面はメッキ処理が施されている。このメッキ処理は、静電気を除電フェルト１２９へ積極的に導く導電体部となり、ボタン１３２を介し、より効果的に静電気を除電できる。なお、ボタン１３２上面部は、ボタンカバー１３３で隠れる構造となることから、使用者が誤って、除電フェルト１２９を外してしまうことを防ぐことができる。
【００２３】
また、ボタン１３２に備える除電フェルト１２９の位置は、除電フェルト１２９の導電性繊維が大気と連通する位置に備えることが好ましいが意匠性を損なう恐れがある。そこで、図４に示すように、ボタン１３２の回動動作を妨げないために設けられた、ボタン１３２とボタンカバー１３３の隙間１３４に除電フェルト１２９を貼ることで、意匠性を損なわず、除電フェルト１２９が大気と連通することができる。なお、除電フェルト１２９を設ける位置は、除電フェルト１２９の導電性繊維が大気に接する位置であればよく、図３、図４に示す例に限られない。
【００２４】
≪塵埃分離部４の構成≫
次に、塵埃分離部４の構成を詳細に説明する。塵埃分離部４は、中空の略円筒状の外筒６と、外筒６と同心軸で外筒６に内包される中空の略円筒状の内筒７を備える。
【００２５】
図５（Ａ）に示すように、外筒６の軸方向一端面（前側端面）は、入口管３に接続される開口を除き閉塞されおり、外筒６の軸方向他端面（後側端面）は、開口している。外筒６は、使用者から塵埃の堆積が見えるようにまたは外筒６外に設けたセンサが塵埃の堆積を検出できるように、透明または半透明のプラスチックや樹脂で構成されるのが好ましい。内筒７の軸方向一端面（前側端面）は閉塞されており、内筒７の軸方向他端面（後側端面）は、開口している。図５（Ｂ）に示すように、内筒７の軸方向一端面の閉塞部分の中央に、内筒７の軸方向内側へ凹んだ凹み部８が形成される。入口管３は、内筒７の軸方向一端面の閉塞部分、つまり凹み部８に対向している。図５（Ａ）に示すように、凹み部８外周端部に、案内管３８が接続される。案内管３８は内筒７の外周面に沿って形成され、内筒７の外周面も流路の内壁面の一部を形成する。案内管３８は内筒７の外周面に、円周方向に形成される。よって、入口管３によって軸方向に流入した空気は、凹み部８によって半径方向に向きを変え、さらに、凹み部８の内筒７の外周端部でやや円周方向に変えられ、さらに案内管３８で円周方向に変えられる。
【００２６】
図５（Ａ）に示すように、外延部３４の円周方向の一部は、開口している。この開口によって、内筒７外の空気が、塵埃収容部５に流入することができる。内筒７は、菌の繁殖を抑制できるように、抗菌作用のある金属（例えば、銀、銅）や抗菌物質（例えば、銀、銅）を含有するあるいは塗布された金属（例えば、ステンレス）で構成されるのが好ましい。ただし、内筒７は、円筒部分も含め樹脂で構成されてもよい。そして、内筒７の円周面に、複数の貫通孔３３を備える。複数の貫通孔３３によって、内筒７はフィルタ機能を有する。この貫通孔３３によって、大きなごみが内筒７内へ流入することなく、内筒７外側から内筒７内側へ空気が流入することができる。
【００２７】
≪塵埃分離部４着脱の構成≫
図５（Ａ）に示すように、使用者が外筒６と内筒７とを容易に分離できることで、外筒６内に堆積したごみを容易に排出できる。また、内筒７の貫通孔３３にひっかかった髪の毛や糸くずを容易に除去することができるように、集塵装置２の塵埃分離部４には、外筒６と外筒６に開閉自在な内筒７が設けられ、内筒７を外筒６に係合するボタン１１２が備えられている。ボタン１１２は、外筒６の軸方向他端部側の外表面に面して配置される。
図６に示すように掃除機本体１側を下側とすると、塵埃分離部４が掃除機本体１に装着された状態では、ボタン１１２は、掃除機本体１側とは反対側の上側に位置する。そして、掃除機本体１の塵埃分離部４の軸方向他端面に対応する位置には、塵埃分離部４を掃除機本体１に係合するための係合部材７１が形成される。係合部材７１の上側が掃除機本体１に軸によって支持されて、回動自在である。係合部材７１の下端が塵埃分離部４の軸方向他端面に当接する。
【００２８】
図７に示すように、ボタン１１２が形成された位置とは反対側であるパッキング９の下側には、蝶番１１７が形成される。蝶番１１７は、外筒６の下側の外周に形成された軸１１８に軸支され、回動自在である。図８に示すように、収納位置では、ハンドル１１６の突出部１２８が蝶番１１７の上に重なる。図８に示すように、パッキング９には、蝶番１１７と対向するように、爪１１９を形成している。そして、外筒６の上側には、使用者が押下することが可能なボタン１１２が設けられており、内筒７が外筒６に内包された状態では、パッキング９の上側の爪１１９と外筒６の上側のボタン１１２に形成される爪１２０が結合して、内筒７が開くのを防止することができる。すなわち、パッキング９は、外筒６の軸１１８と外筒６の上側のボタン１１２の線上で外筒６に支持されている。ボタン１１２は前後方向の略中央部を支点として前後方向に回動可能である。ボタン１１２の前部裏面と外筒６の外表面との間には、ボタン１１２の前部裏面を押す弾性部材（例えば、バネ）が配置されている。パッキング９の外延部３４の外周側に設けたリップ１１５が、外筒６の気密面１２１へ当接することになり、外筒６と内筒７の気密が保持される。
【００２９】
図９（Ａ）は、外筒６から内筒７を１８０度開いた状態の右側から見た断面図であり、図９（Ｂ）は、外筒６から内筒７を９０度開いた状態の右側から見た断面図ある。外筒６の上側のボタン１１２を押すことにより、パッキング９の爪１１９の係合が解除され、内筒７は、パッキング９の蝶番１１７を支点として開かれ、１８０度まで開閉可能となる。
【００３０】
前述したように、空気の旋回に伴う遠心分離作用によって、塵埃分離部４が帯電する。
そこで、本実施例の塵埃分離部４では、発生する静電気を除電するため、除電フェルト１２９が設けられる。図１０、図１１を用いてこの構成を詳細に説明する。
【００３１】
図１０に示すように、外筒６の外表面のボタン１１２と対向する位置に除電フェルト１２９を貼り付け、静電気を除電する。ここに除電フェルト１２９を貼り付けると、図１１に示すように、除電フェルト１２９を貼り付けた外筒６の外表面は、ボタン１１２で隠れることから、使用者が誤って、除電フェルト１２９を外してしまうことを防ぐことができ、意匠性を損なわない。また、ボタン１１２の回転動作のために設けられた隙間１３５から、除電フェルト１２９の導電性繊維が大気に臨むことができ、除電効果が高い。また、塵埃分離部４のお手入れ時に水洗いにより除電フェルト１２９が濡れてしまっても大気と触れやすいため早く乾かすことができる。
【００３２】
≪塵埃収容部５の構成≫
次に、塵埃収容部５の構成を詳細に説明する。図１２に示すように、塵埃収容部５は、軸方向一端面（前側端面）と軸方向他端面（後側端面）とが開口し、横断面で略逆三角形状の中空のケース１０を備える。ケース１０の軸方向一端面は、開閉可能な前蓋１１によって閉塞される。前蓋１１の下端部に軸３１を備え、軸３１はケース１０の下端部によって支持される。前蓋１１は、軸３１を支点としてケース１０の軸方向に前後回動可能である。前蓋１１の上端部のケース１０側には、爪が突出している。一方、ケース１０の前側上部に、使用者が押下することが可能なボタン１７（レバーでもよい）を備え、ボタン１７に、ケース１０の前側に延びる伝達棒（ロッド）１８が連結されている。伝達棒１８の一端は、ボタン１７に連結され、伝達棒１８の他端は、爪状に形成されている。伝達棒１８の他端の爪は、前蓋１１の上端部の爪に係合可能である。ケース１０に前蓋１１が閉じられた状態では、伝達棒１８の他端の爪と前蓋１１の上端部の爪とが係合して、前蓋１１が開くのを防止することができる。そして、使用者がボタン１７を押下すると伝達棒１８が前側へスライドして（上側に回動してもよい）、伝達棒１８の他端の爪と前蓋１１の上端部の爪との係合が解除され、重力によってケース１０から前蓋１１を開くことができる。把手１６の形成方向が水平であるのに対して、ケース１０の軸方向一端面（前蓋１１部分に相当）の法線方向は、水平方向に対して４５度〜５０度傾斜している。つまり、使用者が把手１６を握って塵埃収容部５を持ち上げた際には、ケース１０の軸方向一端面（前蓋１１部分に相当）は、下方向（重力作用方向）を向いている。よって、重力によってケース１０から前蓋１１が開くことができる。尚、集塵かご（集塵容器）１２が、バネ（弾性体）によってケース１０の前側へ飛び出すように付勢されていれば、集塵かご１２が前蓋１１の後面を押すため、使用者がボタン１７を押下すると、集塵かご１２の押す力によってスムーズにケース１０から前蓋１１が開くこともできる。換言すると、集塵かご１２の開口面が前蓋１１の後面によって押さえ受けられることによって、集塵かご１２がケース１０内に収納され、その収納状態が維持される。図１２に示すように、集塵かご１２は、底面の中間を支点として、集塵かご１２の開口面が上下に割れる。特に、集塵かご１２の一部が塵埃収容部５から飛び出した際に、集塵かご１２が上下に割れる。これによって、使用者は、集塵かご１２内に堆積した塵埃をさらに容易に排出することができる。特に、集塵かご１２の内面にへばりついた塵埃も容易にはがし落とすことができる。ただし、集塵かご１２の上下２分割の構成は、必須ではない。また、上述したように、ケース１０の前側は重力作用方向に対し４０度〜４５度傾いていることに加え、集塵かご１２は塵埃収容部５から３０度傾いて飛び出すため、集塵かご１２内に堆積した塵埃を略重力方向に容易に排出することができる。
【００３３】
図１３に示すように、塵埃収容部５の上部外側には、水平方向に延びる使用者が握ることが可能な把手１６とごみ捨て動作時に押下するためのボタン１７と把手１６とボタン１７とが使用者が誤って、取外してしまうことの無いように塵埃収容部蓋１３０が備えられる。
【００３４】
前述したように、塵埃収容部５も帯電する。そこで、本実施例の塵埃収容部５では、発生する静電気を除電するため、塵埃収容部蓋１３０の裏面に除電フェルト１２９が設けられる。図１４、図１５を用いてこの構成を詳細に説明する。
【００３５】
図１４に示すように集塵収容部蓋１３０とボタン１７との間には隙間１３６が備えられる。この隙間１３６から除電フェルト１２９の導電性繊維が大気に臨むように、貼り付けることが好ましい。また、隙間１３６は、ボタン１７をごみ捨て動作時に押下するため、集塵収容部蓋１３０に貼り付ける除電フェルト１２９は、ボタン１７を押下時に除電フェルト１２９が使用者により、触れることができない距離が好ましく、ＪＩＳＢ９７０７による指先の安全距離とする。そのため、塵埃収容部蓋１３０に備えられた除電フェルト１２９は、隙間１３６から大気に臨み、かつ、使用者が触れることができない位置に備えられる。図１５に示すように、塵埃収容部蓋１３０の裏面に除電フェルト１２９を備えることで、意匠性を損なわない。また、集塵収容部蓋１３０に貼り付けた除電フェルト１２９の静電気の除電効果を高めるため、集塵収容部蓋１３０の表面はメッキ処理が施されている。この、メッキ処理は、塵埃収容部５に帯電した静電気を放電フェルト１２９に導く導電体部となり、より効果的に集塵収容部５の除電ができる。また、塵埃収容部５のお手入れ時に水洗いにより除電フェルト１２９が濡れてしまっても大気と触れやすいため早く乾かすことができる。
【００３６】
なお、除電フェルト１２９の貼り付け位置は、掃除機本体１の上カバー５６と塵埃分離部４と塵埃収容部５とに全てに貼ることで、静電気の除電効果を高めることができるが、いずれかのみに貼るだけでも静電気の除電効果を得ることはできる。また、本実施例では、隙間１３４と隙間１３５と隙間１３６とに除電フェルト１２９を備えることで、静電気の除電を効果について述べたが、除電フェルト１２９を掃除機の隙間に備えるだけでなく、掃除機本体１の大気に連通する箇所に備えることで、本実施例と同様に静電気の除電効果を得ることができる。
【符号の説明】
【００３７】
１  掃除機本体
２  集塵装置
３  入口管
４  塵埃分離部
５  塵埃収容部
６  外筒
７  内筒
８  凹み部
９  パッキング
１０  ケース
１１  前蓋
１２  集塵かご
３１、１１８  軸
１６  把手
１７、１１２、１３２  ボタン
１８  伝達棒
２０  ホース継手管
２１  本体吸気口
２８  電動送風機
３３  貫通孔
３４  外延部
３５  外側流路
３８  案内管
５６  上カバー
７１  係合部材
１１５  リップ
１１６  ハンドル
１１７  蝶番
１１９、１２０  爪
１２１  気密面
１２８  突出部
１２９  除電フェルト
１３０  塵埃収容部蓋
１３３  ボタンカバー
１３４、１３５、１３６  隙間
【図１】
2014008181.tif 000003
【図２】
2014008181.tif 000004
【図３】
2014008181.tif 000005
【図４】
2014008181.tif 000006
【図５】
2014008181.tif 000007
【図６】
2014008181.tif 000008
【図７】
2014008181.tif 000009
【図８】
2014008181.tif 000010
【図９】
2014008181.tif 000011
【図１０】
2014008181.tif 000012
【図１１】
2014008181.tif 000013
【図１２】
2014008181.tif 000014
【図１３】
2014008181.tif 000015
【図１４】
2014008181.tif 000016
【図１５】
2014008181.tif 000017